(57)【特許請求の範囲】
【請求項１】
偏光板と、該偏光板を保持する円環状の偏光板保持枠と、該偏光板保持枠をレンズ鏡筒先端のフィルタ枠に取り付けるための円環状のフィルタ取付部とを備えた偏光フィルタにおいて、
前記偏光板保持枠を前記フィルタ取付部に回転自在に取り付け、前記偏光板保持枠の外周に円環状の回転枠を回転自在に設けるとともに、前記偏光板保持枠外周の任意の位置に前記回転枠を固定し且つ錘の機能を有する止めネジを設け、
前記止めネジを緩めた状態では、前記偏光板を回転させたとき、その回転が前記回転枠及び前記フィルタ取付部に伝わらないことを特徴とする偏光フィルタ。
【請求項２】
請求項１に記載の偏光フィルタにおいて、
前記偏光板保持枠と前記フィルタ取付部との間にはボールまたはローラが設けられていることを特徴とする偏光フィルタ。
【請求項３】
請求項１に記載の偏光フィルタにおいて、
前記止めネジは、前記回転枠に取り付けられたとき、錘の部分が一番外側にあることを特徴とする偏光フィルタ。
【発明の詳細な説明】
【０００１】
【発明の属する技術分野】
本発明は偏光フィルタに係り、特にレンズ鏡筒先端に取り付けて使用される偏光フィルタに関する。
【０００２】
【従来の技術】
写真撮影の際に偏光フィルタを使用すると便利なことはよく知られている。例えば、室内にいる人物等をガラス越しに撮影する場合に偏光フィルタを用いると、ガラス表面での反射光を除去することができ、室内の人物等をはっきりと撮影することができる。
【０００３】
図４は従来技術による偏光フィルタの縦断面図である。図に示すように、偏光フィルタ１は偏光板２を有し、この偏光板２の周縁部に円環状の偏光板保持枠３が設けられている。偏光板保持枠３には段付部３Ａが設けられ、この段付部３Ａに偏光板２の周縁部が係合している。また偏光板２を挟んで段付部３Ａの反対側には円環状の偏光板押え環４が設けられている。偏光板押え環４と偏光板保持枠３とはネジで結合され、このネジを締め付けることにより、偏光板２は、その周縁部が偏光板押え環４と段部３Ａとで挟持されて、偏光板保持枠３の内側に保持されている。
【０００４】
偏光板保持枠３のレンズ鏡筒側（図の右側）には円環状のフィルタ取付部５が設けられている。このフィルタ取付部５は偏光板保持枠３の外周に固定されており、偏光板保持枠３と一体的となっている。また、フィルタ取付部５にはネジ５Ａが形成され、このネジ５Ａはレンズ鏡筒先端のフィルタ枠６のネジ６Ａに螺合している。このように偏光フィルタ１はレンズ鏡筒先端に着脱自在に取り付けられている。
【０００５】
【発明が解決しようとする課題】
ところで、一般にレンズ鏡筒には距離操作環が設けられ、この距離操作環を光軸回りに回転させることにより、内部のレンズ群が光軸方向に移動してピント調整を行うことができるようになっている。
【０００６】
しかしながら、上記従来の技術ではフィルタ取付部が偏光板保持枠の外周に固定されているので、距離操作環を光軸回りに回転させてピント調整を行ったときに、フィルタ取付部及び偏光板保持枠と共に偏光板も回転してしまうという欠点がある。その結果、従来の偏光フィルタでは、同一被写体でも撮影距離が変化する度に偏光板の向きを合わせ直さなければならず、非常に煩わしい。
【０００７】
本発明の目的は、偏光板の向きを一度適正な状態に設定しておけば、ピント調整を行う度に偏光板の向きを合わせ直す必要のない偏光フィルタを提供することにある。
【００１０】
【課題を解決するための手段】
上記目的を達成するために、請求項１に記載の発明は、偏光板と、該偏光板を保持する円環状の偏光板保持枠と、該偏光板保持枠をレンズ鏡筒先端のフィルタ枠に取り付けるための円環状のフィルタ取付部とを備えた偏光フィルタにおいて、前記偏光板保持枠を前記フィルタ取付部に回転自在に取り付け、前記偏光板保持枠の外周に円環状の回転枠を回転自在に設けるとともに、前記偏光板保持枠外周の任意の位置に前記回転枠を固定し且つ錘の機能を有する止めネジを設け、前記止めネジを緩めた状態では、前記偏光板を回転させたとき、その回転が前記回転枠及び前記フィルタ取付部に伝わらないことを特徴としている。
【００１１】
上記構成によれば、まず、止めネジを緩めて偏光板保持枠を光軸回りに回転させ、偏光板の向きが適正な角度となるよう調整する。そして、止めネジが偏光板保持枠の最下位位置にくるようにして、該止めネジで回転枠を偏光板保持枠外周に固定する。そうすると、ピント調整の目的でレンズ鏡筒を光軸回りに回転操作させたときに、フィルタ取付部は回転するが、錘の機能を有する止めネジによって偏光板保持枠は回転せず、偏光板も回転しない。その結果、偏光板の向きを一度適正な向きに設定しておけば、その状態を維持することが可能となり、ピント調整を行う度に偏光板の向きを合わせ直す必要がない。
【００１２】
請求項２に記載の発明は、請求項１において、前記偏光板保持枠と前記フィルタ取付部との間にはボールまたはローラが設けられていることを特徴としている。
また、請求項３に記載の発明は、請求項１において、前記止めネジは、前記回転枠に取り付けられたとき、錘の部分が一番外側にあることを特徴としている。
【００１３】
請求項２のように偏光板保持枠とフィルタ取付部との間にボールまたはローラが設けられていれば、フィルタ取付部をレンズ鏡筒先端のフィルタ枠に取り付けたときに、偏光板保持枠の回転を滑らかにすることができる。
また、請求項３によれば、回転中心から一番遠い位置に錘があるので、回転モーメントが大きくなりより錘の効果が大きくなる。
【００１４】
【発明の実施の形態】
以下、本発明の実施の形態を図面に従って説明する。
図１は本発明に係る偏光フィルタの縦断面図であり、図２は図１のＡ−Ａ線に沿った断面図である。図に示すように、本発明に係る偏光フィルタ１０には偏光板１１が設けられ、この偏光板１１の周縁部に円環状の偏光板保持枠１２が取り付けられている。偏光板保持枠１２のレンズ鏡筒側（図の右側）には段付部１２Ａが形成されている。偏光板１１を挟んで段付部１２Ａの反対側には偏光板押え環１３が設けられている。そして、偏光板押え環１３と偏光板保持枠１２とはネジで結合され、そのネジを締め付けることにより、偏光板１１は、その周縁部が偏光板押え環１３と段付部１２Ａに挟持されて、偏光板保持枠１２の内部に保持されている。
【００１５】
偏光板保持枠１２のレンズ鏡筒側外周には溝部１２Ｃが形成され、この溝部１２Ｃにボール１４が設けられている。ボール１４は、図２に示すように溝部１２Ｃの円周上３箇所に均等に配置され、ボール１４が配置されてない溝部１２Ｃには断面形状が円形のスペーサ１５が設けられている。
【００１６】
また図１に示すように、ボール１４及びスペーサ１５の近傍にはボール押え環１６とフィルタ取付部１７が設けられている。ボール押え環１６とフィルタ取付部１７は円環状に形成され、互いにネジで結合されている。ボール１４及びスペーサ１５は、ボール押え環１６とフィルタ取付部１７により移動範囲が規制され、溝部１２Ｃから逸脱することはない。またボール１４が設けられているので、偏光板保持枠１２はボール押え環１６及びフィルタ取付部１７に対してスムーズに回転することができる。なお、ボール１４の代わりにローラを用いることもできる。
【００１７】
フィルタ取付部１７のレンズ鏡筒側にはネジ１７Ａが形成され、このネジ１７Ａは、フィルタ枠１８に形成されたネジ１８Ａに螺合している。これによって、偏光フィルタ１０はレンズ鏡筒先端に着脱自在に取り付けることができる。
【００１８】
また、偏光板保持枠１２の外周面には円環状の回転枠１９が設けられている。回転枠１９の内周面と偏光板保持枠１２の外周面との間には僅かな隙間が形成されており、偏光板保持枠１２に対して回転枠１９は回転自在となっている。また回転枠１９には１つのネジ孔１９Ａが形成され、このネジ孔１９Ａに止めネジ２０が螺合している。そして、止めネジ２０を締め付けることにより、止めネジ２０の先端が偏光板保持枠１２外周に当接し、回転枠１９を偏光板保持枠１２の外周面に固定することができる。また、止めネジ２０は錘の機能を有しており、止めネジ２０を締め付けたとき、その重量によって回転枠１９及び偏光板保持枠１２を回転させ、止めネジ２０は常に偏光板保持枠１２の最下位位置にくる。
【００１９】
止めネジ２０を緩めたときに回転枠１９が偏光板保持枠１２から外れるのを防ぐために、偏光板保持枠１２の先端側（図の左側）には円環状の回転枠押え環２１が設けられている。この回転枠押え環２１は偏光板保持枠１２にネジで結合されている。
【００２０】
図３は、上記構成の偏光フィルタが取り付けられるレンズ鏡筒の縦断面図であり、中心軸Ｌよりも上半分の構成を示している。中心軸Ｌよりも下半分もほぼ同様な構成である。図に示すように、フィルタ枠１８には前群レンズ３０が取り付けられている。また、フィルタ枠１８にはネジ部１８Ｂ及び突起１８Ｃが形成され、ネジ部１８Ｂは前群移動枠３１に形成されたネジ部３１Ａに螺合し、突起１８Ｃは距離操作環３２に形成された溝部３２Ａに係合されている。距離操作環３２は外筒３３の内部に回転自在に設けられており、距離操作環３２を中心軸Ｌの回りに（つまり光軸回り）に回転させると、フィルタ枠１８の突起１８Ｃが溝部３２Ａに係合されているので、フィルタ枠１８も光軸回りに回転する。そしてフィルタ枠１８が回転すると、ネジ部１８Ｂとネジ部３１Ａとの螺合によりフィルタ枠１８は矢印Ｃのように移動して前群レンズ３０を光軸方向に移動させることができる。なお、前群移動枠３１はズーム調整時には移動するが、距離操作環３２の回転時には通常は移動しない。ズーム調整の機構については後述する。
【００２１】
外筒３３のバヨネット環３４側外周にはズーム環３５が回転自在に設けられている。ズーム環３５の内周面には、カム環３６に取り付けられたズーム軸３７の先端部が固定されている。ズーム軸３７は、外筒３３に形成された長孔３３Ａに挿通されている。長孔３３Ａは外筒３３の円周方向に形成され、またその幅はズーム軸３７の外径より広くなっている。
【００２２】
また、カム環３６は円筒状をなし、直進環３８の外側に回転自在に設けられている。カム環３６の円筒面には長孔３６Ａ，３６Ｂが形成され、長孔３６Ａには前群移動枠３１に取り付けられたローラ３９が、長孔３６Ｂには後群移動枠４０に取り付けられたローラ４１がそれぞれ係合されている。また後群移動枠４０には後群レンズ４２が取り付けられている。長孔３６Ａ，３６Ｂはカム環３６の円周方向に対して斜めに（スパイラル状に）形成されている。
【００２３】
そして、ズーム環３５を光軸回りに回転させると、ズーム軸３７によりカム環３６も光軸回りに回転し、長孔３６Ａ，３６Ｂに係合のローラ３９，４１によって、前群移動枠３１が矢印Ｄのように、後群移動枠４０が矢印Ｅのようにそれぞれ移動して、前群レンズ３０及び後群レンズ４２を光軸方向に移動させることができる。
【００２４】
なお、長孔３６Ａをカム環３６の円周方向に形成して、ズーム環３５を回転操作したときに、前群レンズ３０は移動させず、後群レンズ４２だけを光軸方向に移動させるようにすることもできる。
【００２５】
次に、上記構成の偏光フィルタの作用について説明する。
まず、偏光板１１の向きを設定する際には、止めネジ２０を緩めてから偏光板保持枠１２を光軸回りに回転させ、偏光板１１の向きが適正な角度となるよう調整する。偏光板１１の向きを設定し終わったら、偏光板１１が回転しないようにしながら止めネジ２０が偏光板保持枠１２の最下位位置にくるようにして、止めネジ２０を締め付けて回転枠１９を偏光板保持枠１２の外周に固定する。
【００２６】
このように偏光板保持枠１２の外周に回転枠１９を固定すれば、ピント調整のために例えば距離操作環３２を光軸回りに回転操作させたとき、フィルタ取付部１７とボール押え環１６は回転するが、ボール１４と錘の機能を有する止めネジ２０とによって偏光板保持枠１２は回転せず、偏光板１１も回転しない。そのために、偏光板１１の向きを一度適正な向きに設定しておけば、その状態を維持することが可能となり、ピント調整を行う度に偏光板１１の向きを合わせ直す必要がない。
【００２７】
また、止めネジ２０は常に偏光板保持枠１２の最下位位置にくるので、カメラを横にして構えても縦にして構えても、偏光板１１の向きを合わせ直すことなく撮影可能である。
【００２８】
【発明の効果】
以上説明したように、本発明によれば、同一被写体を撮影する際には、偏光板の向きを一度適正な向きに設定すると、その状態を維持することが可能となり、ピント調整を行う度に偏光板の向きを合わせ直す煩わしさがなくなる。
【００２９】
また、同一被写体に対して偏光板の向きを一度適正な向きに設定すれば、カメラを横にしても縦にしても、そのままの状態で撮影可能である。
【図面の簡単な説明】
【図１】本発明に係る偏光フィルタの縦断面図である。
【図２】図１のＡ−Ａ線に沿った断面図である。
【図３】本発明に係る偏光フィルタが取り付けられるレンズ鏡筒の縦断面図である。
【図４】従来技術による偏光フィルタの縦断面図である。
【符号の説明】
１０  偏光フィルタ
１１  偏光板
１２  偏光板保持枠
１３  偏光板押え環
１４  ボール
１５  スペーサ
１６  ボール押え環
１７  フィルタ取付部
１８  フィルタ枠
１９  回転枠
２０  止めネジ
２１  回転枠押え環
【図１】
0003974220.tif 000002
【図２】
0003974220.tif 000003
【図３】
0003974220.tif 000004
【図４】
0003974220.tif 000005